(57)【要約】【課題】簡単な構造でリブパイプの接続角度を調整することができ、逆勾配の発生も防止することができるリブパイプ用管継手を提供する。【解決手段】ゴムパッキン５より遠ざかるリブ６程その高さを順次低くし、さらに前記差口３のゴムパッキン５を装着するリブ６の高さと同じ高さのリブ７を、管軸と同一方向に設けたリブパイプ用管継手１である。前記管軸と同一方向に設けるリブの管周方向の範囲を、対向する１０度から６０度の範囲に設けることもできる。【選択図】図１
2007051773.tif 000002
【特許請求の範囲】
【請求項１】
一側方にリブパイプの端部を挿入する受口を、他側方にリブパイプの端部に設けられた受口に挿入される差口をそれぞれ備え、前記差口の外周面に設けた管軸方向に沿って等間隔に配されたリブとリブの間であって差口端部から受口よりのリブ間にゴムパッキンを装着したリブパイプ用管継手において、
前記差口外周面に配されたリブの高さを、ゴムパッキンが装着されたリブから管軸方向へ離れる程低くなるように設けたことを特徴とするリブパイプ用管継手。
【請求項２】
ゴムパッキンが装着されるリブの高さと同じ高さのリブを管軸と同一方向に向けて差口の外周面に設けたことを特徴とする請求項１に記載のリブパイプ用管継手。
【請求項３】
差口の上部と下部の外周面に管軸と同一方向のリブを複数本配したことを特徴とする請求項２に記載のリブパイプ用管継手。
【発明の詳細な説明】
【技術分野】
【０００１】
本発明は、地中に埋設される下水道管や通信ケーブル用配管に用いられている合成樹脂製のリブパイプを接続するためのリブパイプ用管継手に関する。
【背景技術】
【０００２】
地中に埋設される下水道管や通信ケーブル用配管には、その上に盛られた土の重みを受けて変形することを防止するため、外周に所定間隔で環状リブを突設して剛性を高めたリブパイプが用いられることがある。
このリブパイプの配管施工は、所定長さに形成したリブパイプを順次接合することにより行われ、配管を屈曲させる必要のある箇所には、リブパイプ用の自在管継手を介してリブパイプを接合し、この自在管継手によって屈曲させていた。
リブパイプ用自在管継手は、球面状受口と球面状差口を組み合わせたものが一般的であり、このリブパイプ用自在管継手を配管途中に配置することにより、配管の接続角度を任意に設定できるようにしている（例えば、特許文献１参照。）。
【特許文献１】特開２００１−１５７３４９号公報
【発明の開示】
【発明が解決しようとする課題】
【０００３】
しかし、上述の自在管継手は、球面状受口と球面状差口とを組合わせているため、自在管継手自体の価格が高くなり、施工コストに影響を与えていた。また、接続角度が任意に設定できることから、例えば下水道管として用いる場合、配管が逆勾配となってしまい、通水性に問題が生じるおそれがあった。
【０００４】
そこで本発明は、簡単な構造でリブパイプの接続角度を調整することができ、逆勾配の発生も防止することができるリブパイプ用管継手を提供することを目的としている。
【課題を解決するための手段】
【０００５】
上記の目的を達成するため本発明は、一側方にリブパイプの端部を挿入する受口を、他側方にリブパイプの端部に設けられた受口に挿入される差口をそれぞれ備え、前記差口の外周面に設けた管軸方向に沿って等間隔に配されたリブとリブの間であって差口端部から受口よりのリブ間にゴムパッキンを装着したリブパイプ用管継手において、前記差口外周面に配されたリブの高さを、ゴムパッキンが装着されたリブから管軸方向へ離れる程低くなるように設けたことを特徴とする。
前記構成のリブパイプ用管継手において、ゴムパッキンが装着されるリブの高さと同じ高さのリブを管軸と同一方向に向けて差口の外周面に設けることが好ましい。管軸と同一方向のリブは、差口の上部と下部の外周面に管軸と同一方向のリブを複数本配することができ、特に、リブの管周方向の設置範囲を、当該リブの中で外側の両リブと継手の中心を結んだ線分のなす角度が１０度から６０度の範囲内となるように設けることが好ましい。
【発明の効果】
【０００６】
本発明のリブパイプ用管継手は、ゴムパッキンより離れるリブ程その高さを漸次低くしたので、この継手の差口をリブパイプの受口と接続した場合、受口と差口の間に隙間ができ屈曲が可能となる。
また、この継手の差口をリブパイプの受口に真っ直ぐに差し入れて接続した状態ではゴムパッキン乃至はその両側の最も高いリブが前記受口内面に接するが、屈曲させた状態では、ゴムパッキン両側のリブとともに、これに連なって配した漸次高さを低くした複数のリブが前記受口内面に接する。屈曲させた状態で継手の差口外周の複数のリブがリブパイ
プの内面に接することで、継手の差口にかかる応力は一つのリブに集中することなく複数のリブを通じて分散し、応力の集中によって継手部分が変形したり亀裂が生じたりすることを防止することができる。
さらに、前記管軸と同一方向に設けたリブを配管の上下方向にすれば、配管の上下方向の屈曲を規制でき逆勾配の発生を防止できる。また、前記管軸と同一方向に設けるリブの差口外周面の管周方向の設置範囲を、継手の中心を挟んで上下に対向する１０度から６０度の範囲に設けたため、左右に屈曲させる場合に干渉することが無い。
【発明を実施するための最良の形態】
【０００７】
以下、本発明の一形態例を図面に基いて詳しく説明する。
図１は本発明の一形態例を示すリブパイプ用管継手の平面図、図２はリブパイプ用管継手とリブパイプの接続状態を示す半断面図、図３はリブパイプ用管継手とリブパイプとを屈曲させて接続した状態を示す半断面図、図４は本発明の他の形態例を示すリブパイプ用管継手の平面図、図５は図４のＶ−Ｖ線切断端面図、図６は本発明のさらに別の形態例を示すリブパイプ用管継手の平面図である。
【０００８】
図１に示されるように、リブパイプ用管継手１は、一側方にリブパイプ２０の端部を挿入する受口２が、他側方にリブパイプ２１の端部に設けられた受口２２に挿入される差口３がそれぞれ設けられている。受口２は、開口端に拡開ガイド面２ａを有しており、外周面には複数の環状リブ４が所定間隔で並設されている。
【０００９】
差口３は、外周面に管軸方向に等間隔に並設された複数の環状リブ６の差口端部から受口２よりも環状リブ６、６の間にゴムパッキン５が装着されている。図示の形態では、差口端部から２本目と３本目の環状リブ６の間にゴムパッキン５が装着されている。
前記ゴムパッキン５が装着されている環状リブ６の外径は、該環状リブ６に装着したゴムパッキン５が僅かに突出するように設定され、ゴムパッキン５より遠ざかる環状リブ６程その外径を漸次小径としていくよう設定されている。すなわち、ゴムパッキン５が装着された環状リブ６の外径Ｄ6と、その隣りの環状リブ６ａ、６ａの外径Ｄ6a、さらに隣り
の環状リブ６ｂの外径Ｄ6bは、環状リブ６からその両側の環状リブ６ｂに亘り徐々に小さくなるように設定してある（Ｄ6＞Ｄ6a＞Ｄ6b）。
【００１０】
このように形成したリブパイプ用管継手１を使用したリブパイプ２０、２１の接続は、通常の受口、差口付きのリブパイプと同様に、受口内面と差口ゴムリング部に滑剤を塗布し、てこ棒等の挿入冶具を用いて受口に差口を挿入して行うことができる。
図２に示されるように、リブ用間継手１の差口３をリブパイプ２１の受口に真っ直ぐに差し入れて接続した状態では、ゴムパッキン５乃至はその両側の環状リブ６、６が受口内面に接する。差口３の外周面に配した環状リブ６の外径は、ゴムパッキン５から離れる程小径となっているので、図３に示されるように、差口３をリブパイプ２１の受口に差し入れたまま屈曲させることが可能である。また、屈曲させた状態では、ゴムパッキン５はその両側の環状リブ６、６とともに、これと隣接した複数の小径の環状リブ６が前記受口内面に接する。そのため、受口内面に接する各環状リブ６を通じて継手の差口３に応力が分散してかかり、応力の集中によって継手部分が変形したり亀裂が生じたりすることはない。
【００１１】
図４は本発明の別の形態例のリブパイプ用管継手１を示しており、この継手は、前記と同様に差口３の外周面の環状リブ６をゴムパッキン５より遠ざかる環状リブ６程その外径を漸次小径となるように設定され、さらに、差口３の外面には前記ゴムパッキン５が装着されている環状リブ６の高さと同じ高さのリブ７が管軸と同一方向に複数本設けられている。
より詳しくは、リブ７は、最も外径の大きな環状リブ６と同じ高さを有し、差口３の外
周面の上部と下部にそれぞれ同数設けてあり、図５に示されるように、外側の両リブ７、７と継手１の中心Ｏを結ぶ線分のなす角度αが１０度から６０度の範囲となるように設定してある。なお、前記角度の範囲内に設けてあればリブ７の設置本数は特に限定されない。
【００１２】
本形態のリブパイプ用管継手１を使用したリブパイプ２０、２１の接続も、前記形態と同様に、通常の受口、差口付きのリブパイプと同様に、受口内面と差口ゴムリング部に滑剤を塗布し、てこ棒等の挿入冶具を用いて受口に差口を挿入して行うことができる。
この時、差口に管軸と同一方向に設けられているリブ７を上下方向にすれば、上下方向への屈曲が防げ、図３に示すよう左右方向への屈曲が可能となる。この後左右の角度調整を行うのであるが、リブパイプ用管継手１の受口２にリブパイプ２０の差口を挿入した状態でのほうが角度調整を行い易い。また、前記管軸と同一方向に設けるリブの管周方向の範囲を、差口３の上下両部で対向する１０度から６０度の範囲に設けたため、左右に屈曲させる場合に干渉することが無い。
【００１３】
さらに、図６に示すように曲管の差口を本発明の差口とすれば、曲管の角度の微調整が可能となる。一般的に曲管は金型等で曲げ加工して製造するため、その曲げ角度が限定されるが、実際の施工現場では製造可能な角度通りとならないケースが多い。本発明の曲管を使用すれば角度の微調整が可能となり、工事をスムーズに行う事ができる。
【図面の簡単な説明】
【００１４】
【図１】本発明の一形態例を示すリブパイプ用管継手の平面図である。
【図２】リブパイプ用管継手とリブパイプの接続状態を示す半断面図である。
【図３】リブパイプ用管継手とリブパイプとを屈曲させて接続した状態を示す半断面図である。
【図４】本発明の他の形態例を示すリブパイプ用管継手の平面図である。
【図５】図４のＶ−Ｖ線切断端面図である。
【図６】本発明のさらに別の形態例を示すリブパイプ用管継手の平面図である。
【００１５】
１…リブパイプ用管継手、２…リブパイプ用管継手の受口、２ａ…拡開ガイド面、３…リブパイプ用管継手の差口、４…外周面のリブ、５…ゴムパッキン、６…外周面の高さの異なるリブ、７…管軸と同一方向のリブ、２１…リブパイプ受口
【図１】
2007051773.tif 000003
【図２】
2007051773.tif 000004
【図３】
2007051773.tif 000005
【図４】
2007051773.tif 000006
【図５】
2007051773.tif 000007
【図６】
2007051773.tif 000008